(57)【特許請求の範囲】
【請求項１】
給水栓に装着し、先端に取り付けた止水栓のレバーで湯水の吐水，止水の切り替えを可能にした吐水管において、前記給水栓と吐水管の間に減圧弁を収容し、該減圧弁は給水栓と吐水管の間に接続したアダプターの内部に収容し、該アダプターは給水栓の連結部に結合する一次側開口部を吐水管の基部と同一形状，同一寸法とし、吐水管の基部を結合する二次側開口部及び雄ねじ部を給水栓の連結部及び雄ねじ部と同一形状，同一寸法にしたことを特徴とする吐水管。
【発明の詳細な説明】
【０００１】
【発明の属する技術分野】
本発明は、湯水を供給する給水栓に装着した吐水管に関するものである。
【０００２】
【従来の技術】
従来、給水栓に装着した吐水管先端に、レバーの操作により直流水とシャワー水に流路を切り替えられたり、又は浄水材により水を浄化する機能を備えた止水栓を取り付け、給水栓のハンドルでの止水操作だけでなく操作性の向上のため止水栓のレバーの操作で止水を可能にすることが行われている。しかし、給水栓のハンドルは吐水状態のままで止水栓のレバーで止水をすると吐水管内部の圧力が上昇し、吐水管と止水栓に過剰な圧力水が加わるので、肉厚が薄く強度が十分でない吐水管や、合成樹脂で形成され耐圧性能の低い止水栓は、破損したり漏水し周囲を水浸しにする恐れがあった。
【０００３】
従って、吐水管と止水栓の肉厚を厚めに設定し強度を向上させ、破損や漏水が発生しないように設計変更する必要があり、コストが上昇し経済的でなかった。
【０００４】
【発明が解決しようとする課題】
本発明が解決しようとする課題は、給水栓に装着し、先端に取り付けた止水栓のレバーで湯水の吐水，止水の切り替えを可能にした吐水管において、止水栓での止水時の吐水管及び止水栓の破損及び漏水を防止することである。
【０００５】
【課題を解決するための手段】
本発明は請求項１では、給水栓に装着し、先端に取り付けた止水栓のレバーで湯水の吐水，止水の切り替えを可能にした吐水管において、前記給水栓と吐水管の間に減圧弁を収容し、該減圧弁は給水栓と吐水管の間に接続したアダプターの内部に収容し、該アダプターは給水栓の連結部に結合する一次側開口部を吐水管の基部と同一形状，同一寸法とし、吐水管の基部を結合する二次側開口部及び雄ねじ部を給水栓の連結部及び雄ねじ部と同一形状，同一寸法にしたものである。
【０００７】
【発明の実施の形態】
以下、本発明の実施の形態を図に基づいて詳細に説明する。
本発明の実施例は図１及び図２に示すように、給水栓１はハンドル２の操作により湯水の流量調節及び温度調節を行うものであり、横長に形成した本体３の下部中央から下方に突出した連結部４に後述するアダプター１５を介して吐水管６を回転自在に装着し、該吐水管６の先端に取り付けた合成樹脂材からなる断熱キャップ１１の吐水口１２に同じく合成樹脂材からなる止水栓１３を取り付け、該止水栓１３に設けたレバー１４を回転操作すれば外部へ吐水される湯水の流路を直流又はシャワー流へ切り替えられ、さらに吐水，止水の切り替えのできるものである。なお、止水栓には浄水材を装着して湯水の吐水，止水に加えて浄水を吐水可能にしてもよい。
【０００８】
前記アダプター１５は、内部に給水栓１から吐水管６に対し過大な圧力水が供給されることのないように、圧力を一定値に低下させる従来周知の減圧弁１９を収容している。
【０００９】
前記アダプター１５に収容した減圧弁１９は、図３に示すように開口部１６から一次室１７に挿通した円筒状の内筒２０の内部に、二次室１８から内筒２０先端に形成した弁座２１に接離する制御弁２５、及び内筒２０の内周面を摺動する仕切部材２６を備えた弁棒２４を挿通し、前記仕切部材２６により内筒２０の内部空間を前記一次室１７及び二次室１８と連通する弁室２２と調圧室２３に水密的に仕切り、弁棒２４の軸中心には二次室１８と調圧室２３を連通させる通水孔２７を形成し、弁棒２４は調圧室２３に臨ませた他端に面板２８を形成し、該面板２８と座金２９の間には内筒２０と外筒３２の間に装着されたダイヤフラム３１を挟着し、弁棒２４の先端に螺着した固定金具３０は外筒３２の内部に収容されたスプリング３３により前記制御弁２５を弁座２１から引き離す方向に付勢している。
【００１０】
上記構成により、アダプター１５の一次室１７から減圧弁１９に湯水が流入すると、弁室２２を通過した湯水は弁棒２４の制御弁２５を加圧して該制御弁２５は内筒２０の弁座２１から離れて流路を開き二次室１８に達する。この場合二次室１８を通過する湯水の一部は、弁棒２４の通水孔２７を通って調圧室２３へ浸入しダイヤフラム３１を押しており、この状態から水圧が上昇しダイヤフラム３１を押す力がスプリング３３の設定された付勢力を超えると、スプリング３３を圧縮してダイヤフラム３１は弁棒２４と共に図において右側へ移動する。従って制御弁２５は弁座２１に接近して流路が絞られ、二次室１８から吐水管６へ供給される湯水の圧力を所定値に低下させることができる。なお、減圧弁の構成は本実施例に限定されるものではなく、圧力を低下させる構成を備えている従来周知のものを用いてもよい。
【００１１】
また、アダプター１５の上端に形成した一次側開口部３４は、吐水管６の基部７と同一形状，同一寸法であり、下端に形成した二次側開口部３５及びその外周面の雄ねじ部３６は、給水栓１の連結部４及びその外周面の雄ねじ部５と同一形状，同一寸法である。
【００１２】
従って、吐水管６は通常Ｏリング８及びリング９と共に基部７を給水栓１の連結部４に挿入し、ナット１０により結合されているが、吐水管６を給水栓１の連結部４から取り外して、アダプター１５の一次側開口部３４をＯリング８及びリング９と共に給水栓１の連結部４に挿入してナット１０により結合し、前記吐水管６をアダプター１５の二次側開口部３５に前述と同様に結合することができる。
【００１３】
上記構成において給水栓１のハンドル２を吐水方向へ操作すると、湯水はアダプター１５を経て吐水管６先端の止水栓１３から吐水される。この時、給水栓１のハンドル２を操作して吐水量を増加させたり、給水圧又は給湯圧が急上昇しても、アダプター１５に収容された減圧弁１９によって吐水管６へ供給される湯水の圧力を低下させ、設定圧以上に上昇しないようにしているので、吐水管６及び止水栓１３を耐圧性能の低い合成樹脂材等で形成しても破損したり水漏れが発生することがない。
【００１４】
【発明の効果】
本発明においては、給水栓に装着し、先端に取り付けた止水栓のレバーで湯水の吐水，止水の切り替えを可能にした吐水管において、前記給水栓と吐水管の間に減圧弁を収容したので、吐水時に吐水管及び止水栓を通過する湯水の圧力は減圧弁により所定値より低く抑えられ、止水栓で止水操作をしても吐水管及び止水栓が破損したり漏水することがない。
【００１５】
また、吐水管及び止水栓は耐圧性及び強度を高い構造とする必要がないので、安価な構造及び材料を使用してコストを低減することができる。
【００１６】
さらに減圧弁は給水栓と吐水管の間に接続したアダプターの内部に収容し、該アダプターは給水栓の連結部に結合する一次側開口部を吐水管の基部と同一形状，同一寸法とし、吐水管の基部を結合する二次側開口部及び雄ねじ部を給水栓の連結部及び雄ねじ部と同一形状，同一寸法にしたので、給水栓に装着されている吐水管をそのまま利用して給水栓と吐水管の間にアダプターを接続することができ、極めて経済的である。
【図面の簡単な説明】
【図１】減圧弁を収容したアダプターを、給水栓と吐水管の間に接続した状態の一部破断した側面図である。
【図２】減圧弁を収容したアダプターを、給水栓と吐水管の間に接続した状態の斜視図である。
【図３】減圧弁を収容したアダプターの拡大断面図である。
【符号の説明】
１                      給水栓
４                      連結部
５，３６                雄ねじ部
６                      吐水管
７                      基部
１３                    止水栓
１４                    レバー
１５                    アダプター
１９                    減圧弁
３４                    一次側開口部
３５                    二次側開口部
【図１】
0004348655.tif 000002
【図２】
0004348655.tif 000003
【図３】
0004348655.tif 000004